(57)【特許請求の範囲】
【請求項１】
内部に収納空間と奥行き方向に対向する二面の開口とを有した枠状で上下左右に連続可能な基部材と、前記開口に開閉可能であることを隠蔽している扉部材とを備えた、薄壁状の間仕切の一部を構成する間仕切ユニットにおいて、
前記基部材の上板と底板、及び両側板に連結孔を対向して備え、前記連結孔は、前記ユニットの設置方向を上下左右に反転させたときに合致する位置に設けられているとともに、基部材の内側が大径、外側が小径の２つの径の円筒を同心円状に縦に重ねた構造を有していること、
前記連結孔のうち基部材の上板のものには、当該上板の連結孔の形状に適合する雄ねじ部材が挿入されるとともに、基部材の底板の連結孔には、底板の連結孔の形状に適合しかつ内部に雌ねじ加工が施された雌ねじ部材が挿入されること、
基部材の一方の側板の連結孔には、当該側板の連結孔の形状に適合しかつ内部に円筒の凹部を有する凹状部材が挿入され、他方の側板の連結孔には、当該側板の連結孔の形状に適合しかつ凹状部材と嵌合する凸部を先端に設けた凸状部材が挿入されることを特徴とする間仕切ユニット。
【請求項２】
内部に収納空間と奥行き方向に対向する二面の開口とを有した枠状で上下左右に連続可能な基部材を備え、前記開口に板状部材、引き出し部材、あるいは開閉可能であることを隠蔽している扉部材が交換可能に取り付けられた、薄壁状の間仕切の一部を構成する間仕切ユニットにおいて、
前記基部材の上板と底板、及び両側板に連結孔を対向して備え、前記連結孔は、前記ユニットの設置方向を上下左右に反転させたときに合致する位置に設けられているとともに、基部材の内側が大径、外側が小径の２つの径の円筒を同心円状に縦に重ねた構造を有していること、
前記連結孔のうち基部材の上板のものには、当該上板の連結孔の形状に適合する雄ねじ部材が挿入されるとともに、基部材の底板の連結孔には、底板の連結孔の形状に適合しかつ内部に雌ねじ加工が施された雌ねじ部材が挿入されること、
基部材の一方の側板の連結孔には、当該側板の連結孔の形状に適合しかつ内部に円筒の凹部を有する凹状部材が挿入され、他方の側板の連結孔には、当該側板の連結孔の形状に適合しかつ凹状部材と嵌合する凸部を先端に設けた凸状部材が挿入されることを特徴とする間仕切ユニット。
【請求項３】
請求項１又は２に記載の間仕切ユニットにおいて、扉部材は上下方向に開閉する機構を有し、開閉の上向き用と下向き用が兼用されることを特徴とする間仕切ユニット。
【請求項４】
請求項１〜３のいずれかに記載の間仕切ユニットにおいて、基部材の内部には、収納物の転落を防止するホルダ部材が備えられていることを特徴とする間仕切ユニット。
【請求項５】
請求項１〜４のいずれかに記載の間仕切ユニットを上下左右方向に任意の個数連続させて壁面を形成してなる間仕切壁において、
各間仕切ユニットの基部材が単一の基準寸法で、かつ、上下左右の区別なく形成されていることを特徴とする間仕切壁。
【請求項６】
請求項５に記載の間仕切壁において、壁面の横方向の端面に、前記壁面に交差する面を形成する支持部材が付設されていることを特徴とする間仕切壁。
【請求項７】
請求項６に記載の間仕切壁において、支持部材には、装飾空間が備えられることを特徴とする間仕切壁。
【請求項８】
請求項６又は７に記載の間仕切壁において、支持部材には表示機能が備えられていることを特徴とする間仕切壁。
【請求項９】
請求項６〜８のいずれかに記載の間仕切壁において、支持部材は、内部に配線空間を有するパイプ状部材により構成されていることを特徴とする間仕切壁。
【請求項１０】
請求項６〜９のいずれかに記載の間仕切壁において、前記壁面の上端には天井面との間に、長さ調節が可能な突っ張り部材と、前記突っ張り部材を被覆するカバー部材とが設けられていることを特徴とする間仕切壁。
【請求項１１】
請求項１０に記載の間仕切壁において、カバー部材は、弾性を有するとともに所定の厚みに形成され、壁面から天井までの距離に応じてカバー部材の積層枚数を変えることを特徴とする間仕切壁。
【請求項１２】
請求項６〜１１のいずれかに記載の間仕切壁において、壁面の下端には高さ調節可能な巾木部が設けられ、巾木部の高さは、壁面の最下層の間仕切ユニットの内側に表出した調整部材によりなされることを特徴とする間仕切壁。
【請求項１３】
請求項１２に記載の間仕切壁において、巾木部は、それぞれ略々板状を呈し上下に対向して配置された２枚の巾木部材と、調整部材と螺合する設置部材とを備え、調整部材は上方の巾木部材に回転自在に保持され、下方の巾木部材に固定された設置部材との螺合の度合いを変えることで、２枚の巾木部材の間隔を変え高さ調節することを特徴とする間仕切壁。
【発明の詳細な説明】
【０００１】
【発明の属する技術分野】
本発明は、空間を間仕切るための間仕切ユニット及びこの間仕切ユニットにより形成された間仕切壁に関する技術分野に属する。
【０００２】
【従来の技術】
従来、室内の広い空間を可動式の壁や家具を用いて間仕切し、後から簡易的に小空間を作り出す技術が知られている。このような間仕切としては、比較的薄いパネル状の部材を用いて、壁や衝立のように見せて空間を間仕切るタイプや、比較的厚みがある箱状の部材を用いて、収納家具を兼ねて間仕切りするタイプ等が知られている。
【０００３】
比較的薄いパネル状の部材のタイプは、オフィス等に利用されることが多く、例えば個人用の作業スペースや、接客用のコーナを簡易に形成する。このようなパネル状の部材は、奥行き方向が薄いため簡易的には横方向に連結して壁面が形成される。
【０００４】
比較的厚みがある箱状の部材のタイプは、家庭やオフィス等で収納と間仕切りを兼用するために利用されることが多い。オフィスで利用される場合には、書類やファイル、あるいは商品の収納などに用いられる。また家庭では、子供部屋を子供の成長に合わせて２つに仕切ったり、居間と台所を仕切ったりするために用いられる。いずれの場合にも家具と兼用したような形状を呈している。そのため、比較的奥行き方向に厚みがあり、横に並べるだけでなく積み重ねて使用するものも提案されている。これらは、収納の利便性や組み合わせやすさを考慮して、扉が設けられていなかったり、見かけ上も家具として認識できるようなデザインのものが適用されたりしている。
【０００５】
【発明が解決しようとする課題】
しかしながら、比較的薄いパネル状の部材のタイプは、薄いため壁面状の外観を有するものの、従来は配線程度が収納できる厚みしかない。また、厚みが薄いため高さ方向に簡単に積み重なることができなかった。そのため、レイアウト変更などで間仕切の高さを変更したい場合には、高さの異なるパネル状の部材を新たに購入しなければならなかった。
【０００６】
一方、比較的厚みがある箱状の部材のタイプは、収納力があるものの、これらで間仕切ることで空間内に占める設置面積が大きくなり、収納以外に有効に活用できる空間が少なくなってしまうという課題があった。
【０００７】
また、家具の内部の収納物が露出したり、収納家具であることが明らかに認識されたりすると、特にオフィス等では、雑然とした印象を与えがちで、美観を損なうという課題も有していた。
【０００８】
このような課題を考慮して、本発明では、薄壁状の外観を有していながら、自由に高さや幅等の大きさを変えることができるとともに、適度な収納力を備え、美観にも優れた間仕切ユニット及びこの間仕切ユニットを用いた間仕切壁を提供することを課題とするものである。
【０００９】
【課題を解決するための手段】
上記課題を解決するために、本発明の間仕切ユニットは次のような手段を採用する。
【００１０】
請求項１に記載した間仕切ユニットは、内部に収納空間と奥行き方向に対向する二面の開口とを有した枠状で上下左右に連続可能な基部材と、前記開口に開閉可能であることを隠蔽している扉部材とを備えた、薄壁状の間仕切の一部を構成するものであり、前記基部材の上板と底板、及び両側板に連結孔を対向して備え、前記連結孔は、前記ユニットの設置方向を上下左右に反転させたときに合致する位置に設けられているとともに、基部材の内側が大径、外側が小径の２つの径の円筒を同心円状に縦に重ねた構造を有していること、前記連結孔のうち基部材の上板のものには、当該上板の連結孔の形状に適合する雄ねじ部材が挿入されるとともに、基部材の底板の連結孔には、底板の連結孔の形状に適合しかつ内部に雌ねじ加工が施された雌ねじ部材が挿入されること、基部材の一方の側板の連結孔には、当該側板の連結孔の形状に適合しかつ内部に円筒の凹部を有する凹状部材が挿入され、他方の側板の連結孔には、当該側板の連結孔の形状に適合しかつ凹状部材と嵌合する凸部を先端に設けた凸状部材が挿入されることを特徴としている。
【００１１】
この手段では、連続して積み重ねたり横に並べたりすることで、任意の高さや幅を形成することが可能である。そして、薄壁状の外観を得るために基部材は比較的薄い奥行き方向の長さを有していながら、可能な範囲で内部に出し入れ可能な収納空間が設けられ、適度な収納力も備えている。また、扉部材は明らかに扉であるとわかると、家具として認識され壁面としての印象を与え難い。そのため、扉部材を備えていても、それが扉であるという印象を与えないように、開閉可能であることを隠蔽した外観に形成されている。すなわち、扉部材は、取っ手が設けられていなかったり、または取っ手があっても外から見えないように隠されていたり、あるいはヒンジ部材を外から見えないように設けたりすることで、壁のように見せ掛けられる。
【００１２】
また、間仕切ユニットを上下に重ねた際には連結孔が一方の上板と他方の底板で位置が合致し、２つの間仕切ユニットを並べた際には連結孔がそれぞれの側板どうしで位置が合致する。
上板に雌ねじ部材を、また、底板に雄ねじ部材を挿入することにより、雄ねじと雌ねじとを螺合させることにより上板と底板とが連結固定される。
さらに、上述した連結孔及び連結部材による基部材の連結作業が、間仕切ユニットを並べたり積層した後に作業できるため、例えば多数の間仕切ユニットを連結した後に、そのうちの１つを取り外して交換したり、組み替えたりが容易にできる。
【００１３】
さらに、扉部材を開口の一面にとりつけると一方から開閉でき、二面に取り付けると双方から開閉できる。一面に取り付ける際には、都合に応じた面に扉部材が取り付けられる。そして、基部材自体の設置方向を替えて設置することで、開閉の向きを容易に変更できる。
【００１４】
請求項２に記載の間仕切ユニットは、内部に収納空間と奥行き方向に対向する二面の開口とを有した枠状で上下左右に連続可能な基部材を備え、前記開口に板状部材、引き出し部材、あるいは開閉可能であることを隠蔽している扉部材が交換可能に取り付けられた、薄壁状の間仕切の一部を構成するものであり、前記基部材の上板と底板、及び両側板に連結孔を対向して備え、前記連結孔は、前記ユニットの設置方向を上下左右に反転させたときに合致する位置に設けられているとともに、基部材の内側が大径、外側が小径の２つの径の円筒を同心円状に縦に重ねた構造を有していること、前記連結孔のうち基部材の上板のものには、当該上板の連結孔の形状に適合する雄ねじ部材が挿入されるとともに、基部材の底板の連結孔には、底板の連結孔の形状に適合しかつ内部に雌ねじ加工が施された雌ねじ部材が挿入されること、基部材の一方の側板の連結孔には、当該側板の連結孔の形状に適合しかつ内部に円筒の凹部を有する凹状部材が挿入され、他方の側板の連結孔には、当該側板の連結孔の形状に適合しかつ凹状部材と嵌合する凸部を先端に設けた凸状部材が挿入されることを特徴としている。
【００１５】
この手段では、扉部材と板状部材を交換することができるため、一旦扉部材と板状部材を取り付けた後でも、必要に応じて入れ替えて開閉できる側を変更したり、二面ともに扉部材を取り付けて双方から開閉できるよう変更したりできる。また、扉部材に替えて引き出し部材を基部材の内部に挿入することができる。
【００１６】
請求項３に記載の間仕切ユニットは、請求項１又は２に記載の扉部材が上下方向に開閉する機構を有し、開閉の上向き用と下向き用が兼用されることを特徴としている。
この構成では、低い位置に設置する際には上向きに開口し、高い位置に設置する際には下向きに開口することで、高さに応じた取り出し易さが備えられる。また、扉部材は、上向き用と下向き用が兼用されるため、扉部材を取り付けた基部材の天地を替えて設置したり、基部材に対する扉部材の取付位置を替えたりすることで、開く向きの上下が容易に変更される。
【００１７】
請求項４に記載の間仕切ユニットは、請求項１〜３のいずれかに記載した基部材の内部に、収納物の転落を防止するホルダ部材が備えられていることを特徴としている。
この構成においては、基部材は、薄壁とするために奥行き方向の長さが短く形成されている。そのため、収納物を安定して設置するのに十分な収納空間が得られず、収納物の転落が懸念されるので、ホルダ部材を設けて転落が防止される。
【００１８】
請求項５に記載の間仕切壁は、請求項１〜４のいずれかに記載の間仕切ユニットを上下左右方向に任意の個数連続させて壁面を形成してなるものであり、各間仕切ユニットの基部材が単一の基準寸法で、かつ、上下左右の区別なく形成されていることを特徴としている。
この構成では、高さ方向あるいは横方向に連続させる間仕切ユニットの個数を変えることで任意の大きさの壁面が間仕切として形成され、適度な収納力を備えつつ壁状の外観が得られる。
【００１９】
請求項６に記載の間仕切壁は、請求項５に記載した壁面の横方向の端面に、前記壁面に交差する面を形成する支持部材が付設されていることを特徴としている。
この構成では、間仕切ユニットにより形成された壁面は、比較的厚みが薄いため傾倒が懸念されるが、端面に支持部材を付設することにより傾倒を防止し、安全性が備えられる。
【００２０】
請求項７に記載の間仕切壁は、請求項６に記載した支持部材に、装飾空間が備えられていることを特徴としている。
この構成では、支持部材が実用的に間仕切壁の傾倒を防止しながら、装飾空間に植木鉢や花瓶、絵画、オブジェ等の装飾を施すことができる。そのため、支持部材が間仕切壁を支持していることを強調せずに、壁面の美観が向上されるとともに、憩いの雰囲気が醸し出される。
【００２１】
請求項８に記載の間仕切壁は、請求項６又は７に記載した支持部材に表示機能が備えられていることを特徴としている。
この構成では、支持部材が実用的に間仕切壁の傾倒を防止しながら、表示機能により壁面で間仕切された空間の室名やその他の案内を表示することができる。
【００２２】
請求項９に記載の間仕切壁は、請求項６〜８のいずれかに記載した支持部材が、内部に配線空間を有するパイプ状部材により構成されていることを特徴としている。
この構成では、支持部材は、実用的に間仕切壁の傾倒を防止しながら、目障りな配線等をパイプ状部材内に隠すことにより美観が向上される。また、パイプ状部材を用いることでデザインに新鮮さが付加される。
【００２３】
請求項１０に記載の間仕切壁は、請求項６〜９のいずれかに記載した壁面の上端には天井面との間に、長さ調節が可能な突っ張り部材と、前記突っ張り部材を被覆するカバー部材とが設けられていることを特徴としている。
この構成では、間仕切ユニットを積層して形成した壁面を突っ張り部材で天井面に固定することで高く積層された壁面の傾倒を防止する。また突っ張り部材をカバー部材で被覆することにより突っ張り部材の露出を防止し、美観を向上させる。
【００２４】
請求項１１に記載の間仕切壁は、請求項１０に記載したカバー部材が、弾性を有するとともに所定の厚みに形成され、壁面から天井までの距離に応じてカバー部材の積層枚数を変えることを特徴としている。
この構成では、天井までの高さは空間によって様々であるため、所定の厚みで形成されたカバー部材の挿入枚数を変えることと、カバー部材は弾性により高さ（厚み）方向に変形することにより、壁面の上端から天井までの高さが変わっても突っ張り部材を被覆することができる。また、カバー部材は弾性により天井の形状への密着力も備えられる。
【００２５】
請求項１２に記載の間仕切壁は、請求項６〜１１のいずれかに記載した壁面の下端には高さ調節可能な巾木部が設けられ、巾木部の高さは、壁面の最下層の間仕切ユニットの内側に表出した調整部材によりなされることを特徴としている。
この構成では、巾木部で高さ調整することで、間仕切壁の高さを微調整することができる。また、この巾木部の調整が間仕切ユニットの内側からでき、調整部材が表出しているため、調整の作業性が向上される。
【００２６】
請求項１３に記載の間仕切壁は、請求項１２に記載した巾木部が、それぞれ略々板状を呈し上下に対向して配置された２枚の巾木部材と、調整部材と螺合する設置部材とを備え、調整部材は上方の巾木部材に回転自在に保持され、下方の巾木部材に固定された設置部材との螺合の度合いを変えることで、２枚の巾木部材の間隔を変え高さ調節することを特徴としている。
この構成では、調節部材と設置部材の螺合の度合いを変えるだけで容易に巾木部の高さが調節される。
【００４１】
【発明の実施の形態】
以下、本発明を図面に基づいて説明する。実施の形態（１）では、本発明の間仕切ユニット及びこの間仕切ユニットで形成した間仕切壁について説明する。図１は、実施の形態（１）の間仕切ユニット及び間仕切壁の外観斜視図、図２は図１のＡ−Ａ線で切断した扉部材開放時の横断面図、図３は図１のＢ−Ｂ線で切断した扉部材開放時の縦断面図、図４は連結部分の断面図、図５は巾木部を説明する正面側から見た断面図、図６は巾木部の要部を説明する側面側から見た拡大断面図、図７は天井付近の説明図及び要部の断面図、図８はホルダ部材を取り付けた正面図、図９はホルダ部材を取り付けた横断面図、図１０〜図１２は支持部材を取り付けた状態の外観図、図１３〜図１４は扉部材の他例を示す外観図、図１５は間仕切ユニットを用いた間仕切壁のレイアウト例を示す簡略斜視図である。
【００４２】
本発明の間仕切ユニット１は、内部に収納空間２０１と奥行き方向に開口２０２とを有した枠状で上下左右に連続可能な基部材２と、前記開口２０２に取り付けられ開閉可能であることを隠蔽している扉部材３とを備え、薄壁状の間仕切の一部を構成するものである。
【００４３】
そして、この間仕切ユニット１を上下左右に任意の個数連続させて壁面１１を形成するよう間仕切壁１０が構成されている。
【００４４】
基部材２は、奥行き方向に対向する二面が開口２０２となっており、幅方向の長さに比べて奥行き方向の長さがかなり短く枠状に形成されている。実施の形態（１）では、浅い筒状の直方体に形成しているが、上下左右に連続して積層、併設できれば、曲面で形成しても、平面視または側面視が台形や平行四辺形であっても、その他の形状であってもよい。基部材の奥行き方向の長さは、間仕切壁１０を形成した際に薄壁状の外観、印象を与える程度の寸法に設定されている。実施の形態（１）では、基部材２は単一の基準寸法で形成され、上下左右の区別なく形成されているものとする。これにより製造コストを削減することができるという大きな特長を有する。しかし、必要に応じて複数の寸法を用意し、組み合わせて使用するよう構成してもよい。この基部材２の開口２０２の二面には、開閉自在の扉部材３と、開口２０２を封止する板状部材３０１のいずれを取り付けてもよい。すなわち、２面ある開口２０２のいずれか一面に扉部材３を他面に板状部材３０１を取り付ければ片方から開閉するタイプとなり、両面に扉部材３を取り付ければ双方から開閉するタイプとなる。またもし、開閉の必要がない場合には、双方に板状部材３０１を取り付け、開閉不可能としてもよい。そして、実施の形態（１）では、扉部材３と板状部材３０１の取り付けに、一旦取り付けた後でも交換できる部材を使用し、必要に応じていつでも取り付け取り外しができるようにしている。そのため、扉部材３と板状部材３０１の取り付けを交換して、後から開閉する側を変えたり（もちろん扉部材３と板状部材３０１を交換せずに、基部材２自体の設置方向を替えて開閉する側を変えてもよい。）、片方から開閉するタイプを双方から開閉するタイプに変更したり、またその逆に変更したりもできる。また、扉部材３のデザインを後から変えたい場合にも、扉部材３のみを交換することで簡単に実施できる。なお、一旦取り付けた後に扉部材３や板状部材３０１を取り付け取り外しする必要がない場合には、交換できない部材を使用しても良い。例えば、板状部材３０１をあらかじめ開口２０２の一面に固定した片方から開閉するタイプと、両面に扉部材３を取り付けた双方から開閉するタイプを用意しておいて、目的に応じてどちらかのタイプを選択して使用するようにすることもできる。
【００４５】
扉部材３は、開閉可能のであることを隠蔽した外観を有し、実施の形態（１）では開口２０２の全面を一枚で覆う大きさに形成している。ここでは、間仕切ユニット１を正面から見た際に、できるだけ基部材２が見えないように扉部材３で覆い、縦に配置された扉部材３どうしの隙間である横目地のみをみせて、横に配置された扉部材３どうしの隙間である縦目地を見えないようにするデザインを採用している。これは、間仕切壁１０を形成した際に、目地によりシャープな印象を与え、全体として単一感を醸し出し、薄壁状の外観を生じさせるためである。また、そのため、扉部材３は、開閉するための取っ手を設けない、あるいは取っ手やヒンジ部材を外から認識できないように隠すなどの配慮をしている。もちろん、縦目地を強調するようなデザインを採用しても良い。また、デザインによっては、開口２０２の全面を複数枚の扉部材３で覆ったり、開口２０２の一部を扉部材３とし、他を封止したりしてもよい。扉部材３の表面素材としては、板材（木目調等）、金属材、プラスチック材、布張り、革張り等が適用される。さらに、布地等にプリントを施してコマーシャルとして利用しても良い。また、扉部材３の表面素材に消臭剤を含ませて消臭効果を発揮させたり、光触媒を含ませて蛍光灯等との反応で空気清浄効果を発揮させたりしてもよい。板状部材３０１の表面素材としては、扉部材３と同じものを用意し、使用者のニーズに応じて、外観上扉部材３と板状部材３０１が同じに見えるものを選択したり、区別するためにあえて異なる素材を選択したりできるように構成している。
【００４６】
また、扉部材３は、上下方向に開閉する機構を有している。そして、上下への開閉の方向は任意に選択できる。すなわち扉部材３を基部材２に取り付け後に、基部材２の天地を変えて設置することで、開閉の向きを容易に変更できる。もちろん、初めから開閉の向きを定めて、扉部材３を基部材２の上板２０５側あるいは底板２０３側に取り付けてもよい。このように、扉部材３を上下方向に開閉する機構にすることで、間仕切壁１０を形成した際に、高さに応じて開閉の向きを変えることで、収納物の取り出し易さを向上させることができる。図１に示すように、低い位置に設置された間仕切ユニット１では、扉部材３を上から下に開閉するように取り付け、上向きに開口させる。また、高い位置に設置された間仕切ユニット１では、扉部材３を下から上に開閉する用の取り付け、下向きに開口させる。これにより、使用者に利便性、作業性が向上される。なお、好みによっては、左右方向に開閉する機構で扉部材３を取り付けてもよい。
【００４７】
図２、図３には、一方の開口２０２に扉部材３を他方の開口２０２に板状部材３０１を取り付けた例を示している。扉部材３は、基部材２の底板２０３の開口２０２側の端部２０３１の収納空間２０１側に取り付けられたヒンジ部材３０２によって、基部材２と開閉自在に連結されている。これによりヒンジ部材３０２は、外部から視認されない。扉部材３は、前述したように、基部材１の略々全面を覆い隠しているため、積層された間仕切ユニット１を正面から見ると、扉部材３どうしの上下の隙間は僅かしか設けられていない。そのため、任意の扉部材３を開閉した際にその下端が、下にある扉部材３の上端と接触することが心配される。そのため、ヒンジ部材３０２には、開放時に扉部材３が下にさがらないような機構を備え、さらに開放した際の扉部材３と基部材２の底板とがフラットになるタイプを選択することが望ましい。
【００４８】
また、扉部材３は、基部材２の一方の側板２０４に取り付けられたステー部材３０３によって連結され、開放時に斜めに支えることで扉部材３を水平に維持する。なお、このステー部材３０３は、必要に応じて省略してもよい。また、扉部材３には、ヒンジ部材３０２が取り付けられた辺と平行な辺に、基部材２との閉塞状態を維持するための、係止部材３０４が取り付けられている。この係止部材３０４は基部材２の上板２０５の開口２０２側の端部２０５１に取り付けられた係止受部３０５と係合する。この係止部材３０４と係止受部３０５との機構は、マグネット式、凹凸による着脱式等適宜選択される。このように基部材２の内側に設けられた係止部材３０４と係止受部３０５により、扉部材３が開閉するため、扉部材３が開閉することが外部には認識されない。
【００４９】
次に、間仕切ユニット１どうしの連結について図４を用いて説明する。基部材２は、上下左右に任意に連続させることができるが、安全性を考慮して単に並べるだけではなく、連結して固定できるような構造を有している。この連結は、底板２０３、側板２０４、上板２０５に設けられた複数の連結孔２０６、２０７に、連結部材２０８を挿入することで容易に作業できるよう構成されている。連結孔２０６、２０７は、２つの径の円筒を同心円状に縦に重ねた構造を有し、いずれも基部材２の内側が大径の円筒、外側が小径の円筒になっている。実施の形態（１）では、上板２０５と底板２０３に設けられた連結孔２０６の径が、側板２０４に設けられた連結孔２０７の径より、若干大きくしている。連結孔２０６は、上板２０５と底板２０３のそれぞれに、４隅付近と中央の計５箇所設けられている。連結孔２０７は、底板２０４の縦中心線に間隔をあけて２箇所設けられている。なお、連結孔２０６、２０７の位置はこれらに限定されない。
【００５０】
連結孔２０６は、２つの間仕切ユニット１を上下に重ねた際に、一方の上板２０５と他方の底板２０３で位置が合致する。（基部材１は上下の区別なく作られているため、設置の上下を入れ替えれば、上板２０５と底板２０３はそれぞれ名称が変わるだけである。）そして、連結部材２０８として、連結孔２０６の形状に適合する雄ねじ部材２０８１が上板２０５に挿入され、連結孔２０６の形状に適合し、内部に雌ねじ加工が施された雌ねじ部材２０８２が、底板２０３に挿入される。雌ねじ部材２０８２のねじ頭２０８２１（ここでは十字の切り込み）をドライバーで締め付けることで、雄ねじ部材２０８１と雌ねじ部材２０８２を螺合させ、上板２０５と底板２０３を連結固定する。
【００５１】
一方、連結孔２０７は、２つの間仕切ユニット１を並べた際に、それぞれの側板２０４どうしで位置が合致する。そして、連結部材２０８として、連結孔２０７の形状に適合し内部に円筒の凹部を有する凹状部材２０８３が、一方の側板２０４に挿入され、連結孔２０７の形状に適合し凹状部材２０８３と嵌合する凸部を先端に設けた凸状部材２０８４が他方の側板２０７に挿入される。そして、凹状部材２０８３と凸状部材２０８４とを嵌合させることで隣どうしの側板２０４を連結固定させる。凹状部材２０８３と凸状部材２０８４には、カバー部材２０８５が被せられ、収納空間２０１側からの美観を向上させている。また、凸状部材２０８４には筒状部材２０８６が被せられ、連通孔２０６内でのがたつきを防止している。
【００５２】
上述した連結孔２０６、２０７及び連結部材２０８による基部材２の連結作業が、間仕切ユニット１を並べたり積層した後に作業できるため、例えば多数の間仕切ユニット１を連結した後に、そのうちの１つを取り外して交換したり、組替えたりが容易にできる。また、間仕切ユニット１は、上下左右に連結されているため、囲まれた一部の間仕切ユニット１を取り外して空間、例えば受付カウンター用の空間や、換気用の空間を作り出しても、その周囲の間仕切ユニット１が崩れることがなく維持される。なお、連続しない位置（最上層や横方向の端）に設置される間仕切ユニット１の連通孔２０６、２０７には、基部材２と同色のカバーが掛けられ判別できないようにしている。また、上下、左右に連結される基部材２どうしの間には、連結を妨げない形状の薄いマット等の緩衝材（ゴム製、ウレタン製等）が挟み込まれることが望ましい。この緩衝材によりズレや隙間の空き、がたつきを防ぎ、密接な接続を促すことができる。
【００５３】
次に、間仕切壁１０の最下層の間仕切ユニット１のさらに下に設置する巾木部４について、図５、図６を用いて説明する。巾木部４は間仕切壁１０全体の外観を向上させる機能の他に、間仕切壁１０の高さを調節する機能や、床面に固定させる機能も有している。この巾木部４は、いずれも略々長方形の板状を呈する第１巾木部材４０１と第２巾木部材４０２とを備えている。第１巾木部材４０１は、長方形の基板４０１１でその４辺に縁として略々垂直下向きの側板４０１２が形成され、第２巾木部材４０２は、長方形の基板４０２１でその４辺に縁として垂直上向きの側面４０２２が形成されている。ここでは、１枚の金属の板材から曲げ加工により形成している。第１巾木部材４０１は、第１巾木部材４０１は、第２巾木部材４０２の外側に蓋状に被さるように、第２巾木部材４０２より僅かにおおきく形成されている。これら第１巾木部材４０１には、基部材２の底板２０３の連結孔２０６と合致する位置に、単一の径の円筒からなる取付孔４０３が（実施の形態（１）では４隅と中央の計５箇所に）設けられている。第２巾木部材４０２には、第１巾木部材４０１の４隅の取付孔４０３と合致する位置に、取付孔４０４が４箇所設けられている。また、第２巾木部材４０２には、設置する床面に適切な手段で固定する場合に備えて、固定用の孔が適宜設けられているが、図示されていない。
【００５４】
第２巾木部材４０２の取付孔４０４には、設置部材４０５が溶接、接着等による固着部４０５１により固着されている。この設置部材４０５は円盤状の台座４０５１に雄ねじ部４０５２が立設された形状を呈している。台座４０５１は、取付孔４０４より大きな径を有しその下方外側に位置するため、足として間仕切壁１０を支えている。雄ねじ部４０５２は第１巾木部材４０１側に向けて立設されている。一方第１巾木部材４０１の取付孔４０３には、調節部材４０６が挿入されている。この調節部材４０６の一方端側は、端部近傍の外周に雄ねじ部４０６４を有し底板２０３の連結孔２０６の小径の円筒の内周に嵌合する円筒部４０６１が形成され、端面にねじ頭４０６５（ここでは十字の切れ込み）が形成されている。そして、この円筒部４０６１の外周には鍔部４０６２が形成され、さらにこの鍔部４０６２から他方端側に向けて小径となるテーパが形成されている。また調節部材４０６の内部には雄ねじ部４０５２と螺合する雌ねじ部４０６３が形成されている。調節部材４０６の円筒部４０６１の一方端の外周には、リング状の位置決め部材４０７が螺合する。この位置決め部材４０７は、内周側に雌ねじ部４０７１が形成され、外周が連結孔２０６の大径の円筒に嵌合する大きさを有している。調節部材４０６は、鍔部４０６２が第１巾木部材４０１の下方に位置し、円筒部４０６１が連結孔２０６に位置するよう取り付けられる。そして円筒部４０６１の一方端に位置決め部材４０７が螺合する。これにより、調節部材４０６は、第１巾木部材４０１を底板２０３に保持され、高さ調整の際にいつでも調節部材４０６のねじ頭４０６５が連結孔２０６から表出するように位置している。すなわち、調節部材４０６は、上下には動けず回転のみが可能な状態となる。なお、調節部材４０６の鍔部４０６２と、第１巾木部材４０１との間には、必要に応じてワッシャ４０８が挿入される。
【００５５】
なお、第１巾木部材４０２の中央の連結孔２０６には、前述した位置決め部材４０７が底板２０３側から挿入され、この位置決め部材４０７に螺合する雄ねじ部材４０９が第１巾木部材４０２側から挿入されている。この中央の連結孔２０６にも、前述の巾木部４の高さ調節の機構を設けても良いが、４隅の４箇所で調節すれば十分であるため設けていない。
【００５６】
このように構成された巾木部４では、設置部材４０５の雄ねじ部４０５２と調節部材４０６の雌ねじ部４０６３の螺合の度合いを変えることで、巾木部４の高さ、すなわち第２巾木部材４０２と第１巾木部材４０１の重なり度合いを調節することができる。設置部材４０５の雄ねじ部４０５２と調節部材４０６の雌ねじ部４０６３の螺合は、調節部材４０６のねじ頭４０６５をドライバーで回転させることで行われるが、このねじ頭４０６５が常に連結孔２０６から間仕切ユニット１の内側に表出しているため、調節時に調節するための部材を探す必要がなく、作業の利便性が極めて高くなる。また、この調節作業が、間仕切ユニット１を積層した後でも、いつでも実行することができる。
【００５７】
次に、間仕切壁１０を天井１３に接触させる場合に用いる隙間調整部５について図７を用いて説明する。天井１３の高さは室内空間１４により様々であるため、所定の寸法の間仕切ユニット１を積層し巾木部４の高さ調節をしただけでは、天井１３まで完全に接触させた間仕切を形成することは困難である。そのため、天井１３付近での隙間の大小に応じて容易に天井１３に密着させるための隙間調整部５を設けている。また、間仕切壁１０は天井１３近くまで積層すると傾倒の心配があるため、隙間調整部５は、傾倒防止の機能も有している。
【００５８】
隙間調整部５には、最上層の間仕切ユニット１を天井１３に固定するための長さ調節可能な突っ張り部材５１と、この突っ張り部材５１を被覆するカバー部材５２と、天井１３に密着する天板５３を備えている。突っ張り部材５１は、最上層の間仕切ユニット１の上板２０５の連結孔２０６に挿入される第１突っ張り部材５１１と天板５３に固定される第２突っ張り部材５１２とを有している。第１突っ張り部材５１１は全体的に略々円筒形を呈し、上板２０５の連結孔２０６の小径の円筒に嵌合する大きさに形成されている。その一方端側は、端部の外周に雄ねじ部５１１１を有し端面にねじ頭５１１３（ここでは十字の切れ込み）が形成されている。雄ねじ部５１１１には、外周が連結孔２０６の大径の円筒に嵌合するリング状の位置決め部材５１１５が螺合している。（この位置決め部材５１１５は、位置決め部材４０７と兼用しても良い）また、第１突っ張り部材５１１の外周のねじ頭５１１３側に近い位置には鍔部５１１４が設けられ、第１突っ張り部材５１１のねじ頭５１１３が連結孔２０６に適合する長さでとどまるようにしている。すなわち、第１突っ張り部材５１１は、上下には動けず回転のみが可能な状態となる。また他方端側（ねじ頭５１１３の反対側）の内部には、雌ねじ部５１１２が形成されている。なお、鍔部５１１４と上板２０５との間には、必要に応じてワッシャ５１１６が挟み込まれている。
【００５９】
一方、第２突っ張り部材５１２は、天板５３の下方にねじ止めされる鍔部５１２１と、後述する天板５３の取付孔５３１に嵌合する嵌合部５１２２とが２段形状に形成され、鍔部５１２１の嵌合部５１２２の反対側に、雄ねじ部５１２３が立設されている。この雄ねじ部５１２３は第１突っ張り部材５１１の雌ねじ部５１１２と螺合する。
【００６０】
天板５３は、間仕切ユニット１の上板２０５より僅かに小さい外形を有する長方形の板状の部材で、間仕切ユニット１の上板２０５の連結孔２０６と合致する位置に、単一の径の円筒からなる取付孔５３１が（実施の形態（１）では４隅と中央の計５箇所に）設けられている。この取付孔５３１に第２突っ張り部材５１２がねじ止めされる。そして、第１突っ張り部材５１１の雌ねじ部５１１２と第２突っ張り部材５１２の雄ねじ部５１２３との螺合の度合いを調節することにより、天板５３を天井１３に押し付け、突っ張り力により間仕切壁１０の傾倒を防止する。なお、天板５３には、必要に応じて天井１３にその他の適切な手段（ねじ等）で固定するための孔部も設けても良い。
【００６１】
カバー部材５２は、弾性を有する長方形の板状の部材である。その側面５２１は、丸みを有した形状に形成されており、美観を向上させている。このカバー部材５２には、間仕切ユニット１の上板２０５の連結孔２０６と合致する位置に、単一の円筒形状を有する挿通孔５２１が（実施の形態（１）では４隅と中央の計５箇所に）設けられている。この挿通孔５２２に突っ張り部材５１が挿通される。このカバー部材５２は、最上層の間仕切ユニット１と天板５３との隙間にあわせて枚数が決められ、天板５３と上板２０５との間に挟み込まれる。実際には、間仕切ユニット１と天板５３との隙間より僅かに高く（厚く）なるようカバー部材５２の枚数が決められる。そして、弾性に従って簡単に押圧することで高さ（厚み）を低くし、天井１３との隙間に挟み込まれる。挟まれた後は弾性により元の高さ（厚み）に戻ろうとし天井１３に密着する。このようにカバー部材５２で突っ張り部材５１を覆うことで、美観が向上されるとともに、天井１３との間を密閉するため防音性も向上される。室内空間１４に完全な個室を形成する際に活用できる。
【００６２】
次に、基部材２の内部に取り付けるホルダ部材６について図８，図９を用いて説明する。間仕切ユニット１は連続させて薄壁状の外観を得るために、基部材２の収納空間２０１は奥行き方向に短く形成されている。そのため、例えばファイル６０１等を収納しようとする際に、ファイル６０１の大きさによっては、一般的な本棚のように背表紙６０１１を手前にして並べることができない場合も生じてしまう。その場合には、表紙６０１２が手前になるように並べることで、収納することができるが、ファイル６０１が扉部材３を開放する際に転落することが心配される。そのため、ファイル６０１等の収納物の転落を防止するためのホルダ部材６を収納空間２０１に設けることが望ましい。
【００６３】
実施の形態（１）では、ホルダ部材６として、扉部材３に近い位置で収納空間２０１を水平に横切る棒状部材６０２と、この棒状部材６０２を保持し側板２０４に固定される保持部材６０３とが備えられている。保持部材６０３と棒状部材６０２は、全体としてコの字状を呈しているが、保持部材６０３は側板２０４から前下がりに傾斜して取り付けられ、伸縮可能な構造を有している。そのため、扉部材３が開放されると、保持部材６０３が手前側に伸張し、それにともない保持されている棒状部材６０２も手前側に傾斜しながら下がってくる。そのため、収納空間２０１で棒状部材６０２に当たって収納されていたファイル６０１は、棒状部材６０２の動きにあわせて手前側に傾倒する。扉部材３が閉塞されるときは、扉部材３が棒状部材６０２を押圧し、それにより保持部材６０３が収縮することでファイル６０１が元の収納状態に戻る。このように構成することで、奥行きの短い収納空間２０１に収納したファイル６０１の転落を防止するとともに、扉部材３を開放した際に、ファイル６０１が手前に出てくるため、取り出しやすさが向上される。なお、上述のホルダ部材６の構成は一例であり、これに限定されるものではなく、伸縮させる構造等を省略し単に棒状部材６０２を側板２０４に固定するだけでもよい。また、収納物によっては、もちろんホルダ部材６を取り付けなくてもよい。
【００６４】
次に、間仕切壁１０の壁面１０１の端面に、壁面１０１に交差する面を形成するよう付設される支持部材７について図１０〜図１２を用いて説明する。
【００６５】
間仕切壁１０は、天井１３近くまで形成された場合には、隙間調節部５により傾倒を防止することができるが、もっと低く形成された場合の傾倒を防止するために支持部材７が付設される。実施の形態（１）では、支持部材７として外観の異なる３つの種類を例示している。
【００６６】
まず図１０に示す支持部材７は、全体に薄い板状のパネル部材７０１で形成され、その下端には高さ調節用のアジャスター７０２が設けられている。この板状部材７の間仕切壁１０側には、側板の連結孔２０７に合致する位置に図４に示す凹状部材２０８３（凸状部材２０８４でもよい）が配置されている。これを用いて、基部材２の側板２０４と連結固定することができる。なお、このパネル部材７０１の表面素材には、扉部材３や板状部材３０１と同じものを選択すると、より一層統一感が向上され、すっきりとした印象を与えることができる。また、このパネル部材７０１の一部あるいは全部を透明あるいは半透明素材としてもよい。
【００６７】
図１１には、支持部材７の変形例を示している。この支持部材７には、パネル部材７０１に装飾空間７０３と表示機能７０４が備えられている。また下方にはアジャスター７０２も備えられている。装飾空間７０３として、ここでは植木鉢等を設置できる空間を付設している。この装飾空間７０３にはこの他に絵画やオブジェ等を配置してもよく、また装飾空間７０３の形状も図中のものに限定されない。表示機能７０４としてパネル部材７０１の上部に、間仕切壁１０により形成した場所（室）名などを記載した案内板を設けているが、表示の内容また表示の形態は図中に限定されるものではない。この支持部材７では、単に傾倒を防止するだけでなく、装飾空間７０３により周囲に潤いを与えたり、また表示機能７０４により有用な情報を表示することができ、間仕切壁１０を多機能化することができる。
【００６８】
図１２には、支持部材７のさらに変形例を示している。この支持部材７は、内部に配線空間７０５１を有するパイプ状部材７０５の組み合わせにより構成されている。また、パイプ状部材７０５の下方にはアジャスター７０２が備えられている。また、パイプ状部材７０５は、接続部材７０５２により、間仕切壁１０の積層数に合わせて継ぎ足しが自在に形成されている。パイプ状部材７０５の上端にはキャップ部材７０５４が被せられている。また、側板の連結孔２０７に合致する位置に図４に示す凹状部材２０８３（凸状部材２０８４でもよい）と同機能を有し、パイプ状部材７０５に連結される連結部材７０５３が配置されている。これを用いて、基部材２の側板２０４と連結固定することができる。間仕切壁１０の周囲に机を配置したり、あるいは上板２０５の上に板状の部材をおいて机として使用したりすると、コンピュータや電話等のための配線が必要となる場合がある。パイプ状部材７０５の配線空間７０５１に必要な配線７０６を通して上下の引き回しを行い、キャップ部材７０５４を外して取り出すことで、配線７０６の見苦しさを隠すことができ美観が向上される。またパイプ状部材７０１の組み合わせにより外観状も洗練した感じを与え、インテリアのアクセントとして美観が向上される。なお、このパイプ状部材７０５を用いた組み合わせ方は、図中の形態に限定されない。
【００６９】
なお、図１０〜図１１では、間仕切ユニット１を４段に積層した間仕切壁１０に合わせた高さの支持部材７を示しているが、これらの支持部材７も積層自在に構成し、間仕切壁１０にあわせて高さを自由に変えられるようにしてもよい。
【００７０】
上述した支持部材７は間仕切壁１０の傾倒を防止することを主な目的としているが、それ以外にも間仕切壁１０の美観を向上させる等の他の機能も付加することができる。しかし、この支持部材７は、間仕切壁１０をその他の家具（机等）や壁等に接触させて支え、傾倒する心配がない場合等には、必ずしも取り付ける必要はない。
【００７１】
次に、図１３〜図１５に間仕切ユニット１の外観の変形例を説明する。図１３は、間仕切ユニット１の扉部材３に透明板３０６をはめ込んだ例を示している。透明板３０６をはめ込むことにより、デザイン性を向上させ、また内部の収納空間２０１に収納させるものによっては、全体としての美観がさらに向上する。なお透明板３０６は透明、半透明、着色ガラス等適宜選択される。また素材は、ガラスだけでなくアクリル板等でもよい。
【００７２】
図１４は、間仕切ユニット１の扉部材３の表面素材を、流線形を有する形状に形成し、デザイン性を向上させている。このような流線形で扉部材３を形成することで、防音性を高めることもできる。またこの素材を、クッション性を有する素材で形成してもよい。
【００７３】
図１５は、扉部材３に替えて引き出し部材８を基部材２の内部に挿入するよう構成している。この引き出し部材８の前面８０１の表面素材も扉部材３と同じ素材を選択し、統一感を出すことが好ましい。また、この引き出し部材８０１も開閉可能であることを隠蔽した外観とすることが、全体として薄壁状の印象を与えやすい。
【００７４】
次に、上述した間仕切ユニット１を用いて間仕切壁１０を形成し、室内空間１４をレイアウトする例を図１６を用いて説明する。
【００７５】
室内空間１４に設けられた間仕切壁１０１は、縦に２段と横に２つ、計４つの間仕切ユニット１を連続させて低い間仕切が形成されている。間仕切ユニット１どうしは、それぞれの連結孔２０６、２０７と連結部材２０８を用いて連結固定されている。また、最下層の間仕切ユニット１の下には巾木部４が配置され床に固定される。最下層の間仕切ユニット１を開けて調節部材４０６のねじ頭４０６５を回転させることで高さ調整することができる。また、ここでは、積層された間仕切ユニット１で、開閉のため扉部材３どうしの上下に僅かな隙間（横目地）を見せ、横に並んだ扉部材３どうしの間にはほとんど隙間（縦目地）が見えないデザインを採用し、横方向には扉部材３が連続した印象を与えている。このような間仕切壁１０１を設けることにより例えば室内空間１４を通路状に区画して、圧迫感なく間仕切ることができる。また、必要な側に扉部材３を取り付け、収納として利用することもできる。
【００７６】
間仕切壁１０２は、多数の間仕切ユニット１を全体としてＬ字状に配列している。このように設けることで、間仕切壁１０２の傾倒を防止できる。また、低く区画された空間として圧迫感なく間仕切りすることができる。
【００７７】
間仕切壁１０３は、装飾空間７０３と表示機能７０４を有する支持部材７を付設した例を示している。このように支持部材７を付設することで間仕切壁１０３の傾倒を防止するだけでなく、室内空間１４に装飾による潤いを与えたり、案内を表示したりできる。
【００７８】
間仕切壁１０４は、パネル部材７０１からなる支持部材７を付設した例を示している。この支持部材７では、間仕切壁１０４の傾倒を防止するだけでなく、簡易的に囲まれた空間を作り出すことだでき、机等を併設し打合せコーナを作る事もできる。
【００７９】
間仕切壁１０５は、床１２から天井１３まで完全な間仕切として設置されている。この間仕切壁１０５では、天井までの高さに合わせて、間仕切ユニット１の数が選ばれ、さらに生じる隙間はカバー部材５２の枚数で調整される。図中では、間仕切ユニット１が６段重ねられ、その上にカバー部材５２が２枚積層されている（天板５３は省略している）。隙間調整部５では、最上層の間仕切ユニット１の中から、第１突っ張り部材５１１のねじ頭５１１３を回転させることで、突っ張りの度合いを調節できる。このように天井１３まで完全に間仕切することで、室内空間１４に独立した個室を作り出すことができ、防音性にも優れている。また、この間仕切壁１０５にあわせて、図示するようなドア部材１５を組み合わせたり、ゲート状の部材を組み合わせたりしてもよい。さらに間仕切壁１０５の一部を抜いて、利便性のために例えば受付カウンター１０５１のような連通する空間を作りだしたり、下部や上部の一部を抜いて換気孔１０５２のように利用したりしてもよい。
【００８０】
また、間仕切壁１０に、扉部材３や板状部材３０１を全く取り付けない基部材２を組み合わせてもよい。
【００８１】
上述した間仕切壁１０（１０１〜１０５）は、目的に応じてその大きさ、形状を任意に形成することができる。一旦レイアウトした後に、高さを高くしたい、あるいは横に長くしたい場合には、増加分の間仕切ユニット１を購入するだけで容易に全体の形状を変更できる。また、レイアウト変更で余った間仕切ユニット１は、他の場所で組み替えて再使用もできる。そのため従来使用していた間仕切ユニット１を廃棄する必要が無いため環境にも優しく、経費の無駄を抑えることができる。また、間仕切ユニット１どうしの連結は、連結孔２０６、２０７の連結部材２０８を外して簡単に組み直すことができ、作業が容易である。また、扉部材３が交換可能なので、異なる表面素材に替えることで、全体の雰囲気も簡単に替えることができる。また同一の基部材２を使用しながら、板状部材３０１と扉部材３とを交換したり、扉部材３の開閉の方向も変えたりでき、用途変更も容易である。
【００８２】
【発明の効果】
以上、詳述してきたように、本発明の間仕切ユニットは上下左右に連続可能で、薄壁状の間仕切の一部となるよう形成されている。そのため、これを用いて形成された間仕切壁を室内空間に利用すると、適度な収納力を有しながら、薄壁状のスッキリとした外観が得られ、設置空間内に間仕切壁以外の有効利用できる空間を大きく確保できる。
【００８３】
また、２面ある開口のいずれか一面に扉部材を他面に板状部材を取り付けて片方から開閉するタイプしたり、両面に扉部材を取り付けて双方から開閉するタイプとしたりすることができる。このとき、扉部材と板状部材の取り付けを交換して後から開閉する側を変えたり、扉部材と板状部材を交換せずに基部材自体の設置方向を変えたりすることもできる。
【００８４】
さらに、扉部材を上下方向に開閉する機構にして間仕切壁を形成した際に、高さに応じて開閉の向きを変えることで、収納物の取り出し易さを向上させることができる。このとき、扉部材を基部材に取り付け後に基部材の天地を変えて設置することで、開閉の向きを容易に変更できる。
【００８５】
そして、扉部材が開閉できることが隠蔽されているため、内部に収納空間を有していることが見た目ではわかりにくく構成されている。そのため収納家具のように見た目の圧迫感を与えることもなく、さらに美観を向上させることができる。
【００８６】
その上、薄壁状でありながら、高さ・幅ともに増減可能であるため、生活の変化や配置替え等に対して無駄なく簡単に対応することができる。従って結果として長く使用され、エコ商品として環境にも寄与することができる。
更に、連結孔及び連結部材による基部材の連結作業が、間仕切ユニットを並べたり積層した後に作業できるため、例えば多数の間仕切ユニットを連結した後に、そのうちの１つを取り外して交換したり、組替えたりが容易にできる。
【００８７】
さらに加えて、扉部材に替えて引き出し部材を基部材の内部に挿入することができる。
【図面の簡単な説明】
【図１】 実施の形態（１）の間仕切ユニット及び間仕切壁の外観斜視図である。
【図２】 図１のＡ−Ａ線で切断した開放時の横断面図である。
【図３】 図１のＢ−Ｂ線で切断した開放時の縦断面図である。
【図４】 連結部分の断面図である。
【図５】 巾木部を説明する正面側から見た断面図である。
【図６】 巾木部の要部を説明する側面側から見た拡大断面図である。
【図７】 天井付近の説明図及び要部の断面図である。
【図８】 ホルダ部材を取り付けた正面図である。
【図９】 ホルダ部材を取り付けた横断面図である。
【図１０】 支持部材を取り付けた状態の外観図である。
【図１１】 支持部材を取り付けた状態の外観図である。
【図１２】 支持部材を取り付けた状態の外観図である。
【図１３】 扉部材の他例を示す外観図である。
【図１４】 扉部材の他例を示す外観図である。
【図１５】 扉部材の他例を示す外観図である。
【図１６】 間仕切ユニットを用いた間仕切壁のレイアウト例を示す簡略斜視図である。
【符号の説明】
１ 間仕切ユニット
１０ 間仕切壁
１１ 壁面
１２ 床
１３ 天井
１４ 室内空間
２ 基部材
２０１ 収納空間
２０２ 開口
２０３ 底板
２０４ 側板
２０５ 上板
２０６、２０７ 連結孔
２０８ 連結部材
３ 扉部材
３０１ 板状部材
３０２ ヒンジ部材
３０３ ステー部材
３０４ 係止部材
３０５ 係止受部
３０６ 透明板
４ 巾木部
４０１ 第１巾木部材
４０２ 第２巾木部材
４０３、４０４ 取付孔
４０５ 設置部材
４０６ 調節部材
４０７ 位置決め部材
４０８ ワッシャ
４０９ 雄ねじ部材
５ 隙間調整部
５１ 突っ張り部材
５１１ 第１突っ張り部材
５１２ 第２突っ張り部材
５２ カバー部材
５２１ 側面
５２２ 挿通孔
５３ 天板
５３１ 取付孔
６ ホルダ部材
６０１ ファイル
６０２ 棒状部材
６０３ 保持部材
７ 支持部材
７０１ パネル部材
７０２ アジャスター
７０３ 装飾空間
７０４ 表示機能
７０５ パイプ状部材
８ 引き出し部材
【図１】
0004028210.tif 000002
【図２】
0004028210.tif 000003
【図３】
0004028210.tif 000004
【図４】
0004028210.tif 000005
【図５】
0004028210.tif 000006
【図６】
0004028210.tif 000007
【図７】
0004028210.tif 000008
【図８】
0004028210.tif 000009
【図９】
0004028210.tif 000010
【図１０】
0004028210.tif 000011
【図１１】
0004028210.tif 000012
【図１２】
0004028210.tif 000013
【図１３】
0004028210.tif 000014
【図１４】
0004028210.tif 000015
【図１５】
0004028210.tif 000016
【図１６】
0004028210.tif 000017